(57)【要約】【課題】  水位検出センサの装着位置を移動させずに設定水位の調整が行えると共に、簡易に設置できる自動運転型水中ポンプを提供する。【解決手段】  水位の検出を行うための水位検出センサが検出される圧力値に基づいて水位を認識する水圧センサ２８，２９からなる。水圧センサ２８，２９は高さ方向に離隔して配置された上位水圧センサ２８と下位水圧センサ２９とからなる。両水圧センサ２８，２９が水中にある場合における高低差から想定される想定圧力差と、各水圧センサ２８，２９によって検出された各圧力値との相互間の関係に基づいて大気圧や槽内水位Ｈを求め、その求められた槽内水位Ｈに応じて水中ポンプ２１の起動停止の運転制御を行う。【選択図】図１
2008019731.tif 000002
【特許請求の範囲】
【請求項１】
槽内に設置され、水位検出センサによる水位の検出によって運転制御される自動運転型水中ポンプにおいて、
前記水位検出センサが検出される圧力値に基づいて水位を認識する水圧センサからなると共に、該水圧センサは高さ方向に離隔して複数配置され、各水圧センサが水中にある場合における高低差から想定される想定圧力差と、各水圧センサによって検出された各圧力値との相互間の関係に基づいて槽内水位を求め、その求められた槽内水位に応じて運転制御を行うことを特徴とする自動運転型水中ポンプ。
【請求項２】
請求項１に記載の自動運転型水中ポンプにおいて、
起動水位の位置に配置された前記水圧センサとより下位に配置された前記水圧センサとの前記高低差から想定される想定圧力差と、それら上下の水圧センサによって検出された各圧力値との検出圧力差とが一致した場合、槽内水位が前記起動水位の位置に配置された水圧センサの高さに上昇したと判断して水中ポンプを起動させることを特徴とする自動運転型水中ポンプ。
【請求項３】
請求項１に記載の自動運転型水中ポンプにおいて、
前記各水圧センサによって検出された各圧力値が互いに等しくない水圧センサ相互間の検出圧力差と、それら相互間の水圧センサにおける前記高低差から想定される想定圧力差とが一致しない場合に、一致しない各水圧センサのうちの上位に配置された水圧センサによって検出された圧力値を大気圧として認識すると共に、一致しない各水圧センサのうちの下位に配置された水圧センサによって検出された圧力値を水圧として認識し、これら検出された大気圧と水圧との差から槽内水位を求めることを特徴とする自動運転型水中ポンプ。
【請求項４】
請求項１に記載の自動運転型水中ポンプにおいて、
前記各水圧センサによって検出された各圧力値が互いに等しくない水圧センサ相互間の検出圧力差と、それら相互間の水圧センサにおける前記高低差から想定される想定圧力差とが一致しない場合に、一致しない各水圧センサのうちの上位に配置された水圧センサによって検出された圧力値を大気圧として記憶し、大気圧の変動が許容可能な時間の経過範囲内で、各水圧センサによって検出された圧力値を水圧として認識し、大気圧と水圧との差から槽内水位を求めることを特徴とする自動運転型水中ポンプ。
【請求項５】
請求項１に記載の自動運転型水中ポンプにおいて、
前記各水圧センサによって検出された圧力値が互いに等しい場合に、その検出された圧力値を大気圧として記憶し、大気圧の変動が許容可能な時間の経過範囲内で、各水圧センサによって検出された圧力値を水圧として認識し、大気圧と水圧との差から槽内水位を求めることを特徴とする自動運転型水中ポンプ。
【発明の詳細な説明】
【技術分野】
【０００１】
本発明は、一般家庭排水が貯留される貯水槽内等に設置され、槽内の水を排水するための自動運転型水中ポンプに関するものである。
【背景技術】
【０００２】
従来、この種の自動運転型水中ポンプとして、図３に示されるようなものがあり、水中ポンプ１におけるポンプ本体１ａは、モータ部２を収容するモータケーシング部３と、該モータケーシング部３上に装着されたモータカバー部４と、羽根車５を収容すると共に汲み上げ液流の流路を形成するポンプケーシング部６とを備え、モータケーシング部３の下部におけるモータ部２と羽根車５との間には油室部３ａが備えられている。
【０００３】
また、ポンプ本体１ａの外側下部には、下部水位検出センサとしての下部フロートスイッチ８が装着されている。さらに、ポンプ本体１ａの外側上部には、支持ブラケット９を介して上下方向に軸心を有する取付ロッド１０が支持され、該取付ロッド１０に上部水位検出センサとしての上部フロートスイッチ１１が高さ調整自在に装着されている。
【０００４】
そして、下部フロートスイッチ８や上部フロートスイッチ１１の作動に応じて水中ポンプ１を駆動制御する制御装置がポンプ本体１ａの内部等に備えられ、水位の上昇により上部フロートスイッチ１１が作動して起動水位を検出すれば、水中ポンプ１が起動され、羽根車５の回転によって、底部の吸込口から槽内の貯留水を吸い込み、ポンプケーシング部６の排出部６ａに取り付けられる排水管を介して槽外に排水する。
【０００５】
その後、排水に伴う水位の低下により、下部フロートスイッチ８が復帰されて停止水位を検出すれば、水中ポンプ１が停止されるように制御される構成とされている。
【０００６】
このようなフロートスイッチ８，１１を用いて駆動制御を行う構造の水中ポンプ１として、例えば、特許文献１や特許文献２に開示のものがある。
【０００７】
また、フロートスイッチ８，１１に代えて、停止水位検出用の下部電極と起動水位検出用の上部電極を備え、水位の変動による上部電極や下部電極の導通状態の検出により水中ポンプを駆動制御する電極方式のものもある。（例えば、特許文献３参照。）。
【０００８】
さらに、水位を検出するためのセンサとして水圧センサを用い、検出される圧力値に基づいて水位を演算処理により求め、駆動制御する水中ポンプ装置も提案されている（例えば、特許文献４参照。）。
【０００９】
【特許文献１】特開２００３−２８６９８８号公報
【特許文献２】特開平６−２４１１９１号公報
【特許文献３】実開昭４８−９０４号公報
【特許文献４】特開２００５−１７１８８０号公報
【発明の開示】
【発明が解決しようとする課題】
【００１０】
しかしながら、上記のようなフロートスイッチや電極を用いて水中ポンプを駆動制御する方式によれば、起動水位等の水位の設定変更に際して、フロートスイッチや電極の装着位置を高さ方向に移動調整する必要があり、調整作業が面倒であるという欠点があった。
【００１１】
また、上記のような水圧センサを用いて水中ポンプを駆動制御する方式によれば、水圧センサの装着位置を移動させずに、起動水位等の水位を調整できる利点があるものの、地上に駆動制御するための制御ボックスを配置する構造であり、大掛かりな設置構造となる欠点があった。
【００１２】
そこで、本発明は上記問題点に鑑み、水位検出センサの装着位置を移動させずに設定水位の調整が行えると共に、簡易に設置できる自動運転型水中ポンプを提供することを目的とする。
【課題を解決するための手段】
【００１３】
上記課題を解決するための技術的手段は、槽内に設置され、水位検出センサによる水位の検出によって運転制御される自動運転型水中ポンプにおいて、前記水位検出センサが検出される圧力値に基づいて水位を認識する水圧センサからなると共に、該水圧センサは高さ方向に離隔して複数配置され、各水圧センサが水中にある場合における高低差から想定される想定圧力差と、各水圧センサによって検出された各圧力値との相互間の関係に基づいて槽内水位を求め、その求められた槽内水位に応じて運転制御を行う点にある。
【００１４】
また、起動水位の位置に配置された前記水圧センサとより下位に配置された前記水圧センサとの前記高低差から想定される想定圧力差と、それら上下の水圧センサによって検出された各圧力値との検出圧力差とが一致した場合、槽内水位が前記起動水位の位置に配置された水圧センサの高さに上昇したと判断して水中ポンプを起動させる構成としてもよい。
【００１５】
さらに、前記各水圧センサによって検出された各圧力値が互いに等しくない水圧センサ相互間の検出圧力差と、それら相互間の水圧センサにおける前記高低差から想定される想定圧力差とが一致しない場合に、一致しない各水圧センサのうちの上位に配置された水圧センサによって検出された圧力値を大気圧として認識すると共に、一致しない各水圧センサのうちの下位に配置された水圧センサによって検出された圧力値を水圧として認識し、これら検出された大気圧と水圧との差から槽内水位を求める構成としてもよい。
【００１６】
また、前記各水圧センサによって検出された各圧力値が互いに等しくない水圧センサ相互間の検出圧力差と、それら相互間の水圧センサにおける前記高低差から想定される想定圧力差とが一致しない場合に、一致しない各水圧センサのうちの上位に配置された水圧センサによって検出された圧力値を大気圧として記憶し、大気圧の変動が許容可能な時間の経過範囲内で、各水圧センサによって検出された圧力値を水圧として認識し、大気圧と水圧との差から槽内水位を求める構成としてもよい。
【００１７】
さらに、前記各水圧センサによって検出された圧力値が互いに等しい場合に、その検出された圧力値を大気圧として記憶し、大気圧の変動が許容可能な時間の経過範囲内で、各水圧センサによって検出された圧力値を水圧として認識し、大気圧と水圧との差から槽内水位を求める構成としてもよい。
【発明の効果】
【００１８】
以上のように、本発明の自動運転型水中ポンプによれば、水位検出センサが検出される圧力値に基づいて水位を認識する水圧センサからなると共に、該水圧センサは高さ方向に離隔して複数配置され、各水圧センサが水中にある場合における高低差から想定される想定圧力差と、各水圧センサによって検出された各圧力値との相互間の関係に基づいて槽内水位を求め、その求められた槽内水位に応じて運転制御を行う方式であり、水位検出センサとして水圧センサを用いた構造としているため、起動水位等の設定変更に際して水圧センサの装着位置を移動させずに、水位に応じた圧力値の電気的な設定変更によって容易に設定水位の調整が行える利点がある。
【００１９】
また、水圧センサを高さ方向に離隔して複数配置することにより、各水圧センサ相互間の想定圧力差やそれぞれ検出された圧力値との相互間の関係から、大気圧の影響を除いた槽内水位を求めることができ、従来のように地上の制御ボックス内等に別途、大気圧センサを配置する必要がなく、簡易に設置できる利点もある。
【００２０】
さらに、フロートスイッチや電極等に対する異物の絡み付き等による誤動作に比較して、異物による誤動作のおそれも少ないという利点がある。
【００２１】
また、起動水位の位置に配置された水圧センサとより下位に配置された水圧センサとの高低差から想定される想定圧力差と、それら上下の水圧センサによって検出された各圧力値との検出圧力差とが一致した場合、槽内水位が起動水位の位置に配置された水圧センサの高さに上昇したと判断して水中ポンプを起動させる構成とすれば、水中ポンプの起動に際して大気圧の影響を考慮する必要がなく、起動制御が簡易に行える。
【００２２】
さらに、各水圧センサによって検出された各圧力値が互いに等しくない水圧センサ相互間の検出圧力差と、それら相互間の水圧センサにおける高低差から想定される想定圧力差とが一致しない場合に、一致しない各水圧センサのうちの上位に配置された水圧センサによって検出された圧力値を大気圧として認識すると共に、一致しない各水圧センサのうちの下位に配置された水圧センサによって検出された圧力値を水圧として認識し、これら検出された大気圧と水圧との差から槽内水位を求める構成とすれば、下位に配置された水圧センサによって検出された水圧から大気圧の影響を除いて容易に槽内水位を求めることができる。
【００２３】
また、各水圧センサによって検出された各圧力値が互いに等しくない水圧センサ相互間の検出圧力差と、それら相互間の水圧センサにおける高低差から想定される想定圧力差とが一致しない場合に、一致しない各水圧センサのうちの上位に配置された水圧センサによって検出された圧力値を大気圧として記憶し、大気圧の変動が許容可能な時間の経過範囲内で、各水圧センサによって検出された圧力値を水圧として認識し、大気圧と水圧との差から槽内水位を求める構成や、各水圧センサによって検出された圧力値が互いに等しい場合に、その検出された圧力値を大気圧として記憶し、大気圧の変動が許容可能な時間の経過範囲内で、各水圧センサによって検出された圧力値を水圧として認識し、大気圧と水圧との差から槽内水位を求める構成とすれば、記憶された大気圧に基づいて、水圧センサによって検出された水圧から大気圧の影響を除いて容易に槽内水位を求めることができる。
【発明を実施するための最良の形態】
【００２４】
以下、本発明の実施形態を図面に基づいて説明すると、図１は自動運転型の水中ポンプ２１を示しており、前述同様、ポンプ本体２１ａは、モータ部２２を収容するモータケーシング部２３と、該モータケーシング部２３上に装着されたモータカバー部２４と、羽根車２５を収容すると共に汲み上げ液流の流路を形成するポンプケーシング部２６とを備え、モータケーシング部２３の下部には油室部２３ａが備えられている。
【００２５】
また、ポンプ本体２１ａの外側部には、水位検出センサとしての水圧センサ２８，２９が高さ方向に離隔して複数（本実施形態では２箇所）装着されている。そして、本実施形態では、各水圧センサ２８，２９は、モータカバー部２４の上部一側部に取付ブラケット３０等を介して取付け固定された上位水圧センサ２８と、ポンプケーシング部２６の上部一側部に取付ブラケット３１等を介して取付け固定された下位水圧センサ２９とから構成されている。
【００２６】
これら水圧センサ２８，２９は、圧力センサからなり、例えば、半導体圧力センサ等によって構成される絶対圧センサであり、ダイヤフラムを介して貯水槽の水圧を真空に対する絶対圧力として検出するものである。そして、水圧センサ２８，２９は検出される圧力値に応じた検出信号を出力し、モータカバー部２４内には、各水圧センサ２８，２９からの検出信号に基づいて水位を演算処理により求め、水中ポンプ１を運転制御するためのポンプコントローラ３２が備えられている。
【００２７】
さらに、ポンプケーシング部２６の下側には、ポンプケーシング部２６の吸込口を囲繞して、周面に複数の連通開口３４ａが形成された筒状の吸込口カバー体３４が配設され、さらにまたポンプケーシング部２６の一側部の排出部には、排水管３５が接続される構造とされている。
【００２８】
前記ポンプコントローラ３２は、図２に示されるように、各水圧センサ２８，２９によって検出された各圧力値に基づき大気圧を求め、メモリ等に記憶する大気圧検出・記憶部３２ａと、大気圧検出・記憶部３２ａで求められた大気圧と下位水圧センサ２９によって検出された圧力値に基づき槽内水位Ｈを求める水位検出部３２ｂと、起動水位ＳＬと停止水位ＬＬを設定するための起動停止水位設定部３２ｃと、水位検出部３２ｂで求められた槽内水位Ｈが起動水位ＳＬや停止水位ＬＬかどうかを判定する起動停止水位判定部３２ｄと、起動停止水位判定部３２ｄから出力される判定信号に基づき、水中ポンプ２１を駆動制御するポンプ制御部３２ｅとを備えている。
【００２９】
前記起動停止水位設定部３２ｃは、例えば、モータカバー部２４に液密状に開閉操作自在に備えられた開閉蓋２４ａを開操作し、テンキー等の操作キーから高さ設定入力を行う等の電気的な設定変更により起動水位ＳＬや停止水位ＬＬの設定変更を行う構造や、遠隔操作装置（リモコン）によって、モータカバー部２４に液密状に装着された透光窓部を通じた赤外線通信等により同様にして起動水位ＳＬや停止水位ＬＬの設定変更を行う構造等を適宜採用すればよい。
【００３０】
そして、本実施形態においては、例えば、起動水位ＳＬとして、上側に取付けられた上位水圧センサ２８による圧力値の検出高さ位置が設定され、停止水位ＬＬとして、下側の取付けられた下位水圧センサ２９による圧力値の検出高さ位置が設定されている。
【００３１】
次に、前記大気圧検出・記憶部３２ａによって大気圧を求める方式に付き説明すると、槽内水位Ｈが停止水位ＬＬよりも下の場合、両水圧センサ２８，２９にはそれぞれ大気圧が作用しているだけであり、その結果、検出される圧力値は互いに等しい圧力値を示しており、その検出された圧力値を大気圧と認識し、その圧力値が大気圧として求められる。
【００３２】
また、槽内水位Ｈが起動水位ＳＬよりも上の場合、両水圧センサ２８，２９にはそれぞれの検出高さ位置よりも上方の水位に応じた水圧と大気圧が作用しており、上位水圧センサ２８によって検出された圧力値と下位水圧センサ２９によって検出された圧力値との圧力差いわゆる検出圧力差は、相互間の水位の差となり、両水圧センサ２８，２９が水中にある場合における取付け位置の高低差から想定される想定圧力差と等しくなる。なお、この想定圧力差は、両水圧センサ２８，２９の取付け位置の高低差から理論的に想定されるため、予め起動停止水位設定部３２ｃ等の入力部から入力設定しておけばよい。
【００３３】
そして、槽内水位Ｈが停止水位ＬＬよりも上で、起動水位ＳＬよりも下の場合、即ち、槽内水位Ｈが停止水位ＬＬと起動水位ＳＬとの間にある場合、下位水圧センサ２９よりも上方の水位は、両水圧センサ２８，２９における取付け高さ位置の高低差よりも低いため、上位水圧センサ２８によって検出された圧力値と下位水圧センサ２９によって検出された圧力値との検出圧力差は、前記想定圧力差よりも小さくなる。
【００３４】
従って、両水圧センサ２８，２９によって検出された各圧力値が互いに等しくなく、両水圧センサ２８，２９による検出圧力差が前記想定圧力差よりも小さい場合には、上位水圧センサ２８には大気圧が作用し、下位水圧センサ２９には大気圧と水圧とが作用しているため、上位水圧センサ２８で検出された圧力値は大気圧と認識し、その圧力値が大気圧として求められる。
【００３５】
この際、前記水位検出部３２ｂでは、下位水圧センサ２９で検出された圧力値を水圧として認識し、この水圧から前記大気圧を減算することによって正確な水圧（大気圧の影響のない水圧）を求め、その水圧に基づいて槽内水位Ｈを求める。例えば、下位水圧センサ２９による水圧と槽内水位Ｈとが対応づけられたテーブルを参照することにより、または水圧から水位を算出する演算式に、大気圧の影響が除去された水圧を代入して演算処理を行うことにより、槽内水位Ｈを求める。
【００３６】
なお、図１における３７は電源供給用のケーブルである。
【００３７】
次に、この水中ポンプ２１の自動運転制御について説明する。
【００３８】
貯水槽内に水中ポンプ２１が設置された初期状態においては、例えば、槽内水位Ｈが下位水圧センサ２９の取付け位置よりも低い位置にあり、両水圧センサ２８，２９は汚水に漬かっておらず、両水圧センサ２８，２９は水位未検出状態となっている。従って、両水圧センサ２８，２９は大気圧検出状態にあり、大気圧検出・記憶部３２ａで大気圧が求められる。また、下位水圧センサ２９により検出される圧力値が大気圧であるため、水位検出部３２ｂでは、槽内水位Ｈが停止水位ＬＬと認識され、起動停止水位判定部３２ｄでは起動水位ＳＬに達していないと判断され、水中ポンプ１は停止状態とされている。
【００３９】
その後、時間の経過と共に汚水が槽内に流入してくると貯留される汚水の水位Ｈが漸次上昇していく。そして、水位Ｈが下位水圧センサ２９の検出高さ位置を超えると、上位水圧センサ２８は大気圧のみを検出しているが、下位水圧センサ２９では水圧と大気圧とが作用している状態となる。ここに、水位検出部３２ｂでは上記の処理により槽内水位Ｈが求められる。この際、槽内水位Ｈは起動水位ＳＬにまだ達していないため、起動停止水位判定部３２ｄでは起動水位ＳＬに達していないと判断され、水中ポンプ１は停止状態とされている。
【００４０】
さらに、時間の経過と共に汚水が槽内に流入し、槽内水位Ｈが漸次上昇して起動水位ＳＬに達すると、起動停止水位判定部３２ｄは起動水位ＳＬに達したと判断し、その判定信号としての起動信号を出力する。そして、ポンプ制御部３２ｅにこの起動信号が入力されると水中ポンプ２１を起動させる。
【００４１】
その後、水中ポンプ２１の起動により槽内の汚水が排水管３５を通じて漸次排水され、槽内水位Ｈが漸次下降していく。そして、槽内水位Ｈが停止水位ＬＬまで下降すると、起動停止水位判定部３２ｄは停止水位ＬＬに達したと判断し、その判定信号としての停止信号を出力する。ポンプ制御部３２ｅにこの停止信号が入力されると駆動していた水中ポンプ２１を停止させる。
【００４２】
その後、時間の経過と共に汚水が槽内に流入して槽内水位Ｈが漸次上昇し、上記同様にして、水中ポンプ２１の起動・停止の自動運転制御が繰り返される。
【００４３】
本実施形態は以上のように構成されており、各水圧センサ２８，２９を高さ方向に離隔して配置することにより、各水圧センサ２８，２９相互間の想定圧力差やそれぞれ検出された圧力値との相互間の関係から、現在の大気圧を認識し、検出された水圧から大気圧の影響を除いた槽内水位Ｈを求めることができ、従来のように地上の制御ボックス内等に別途、大気圧センサを配置する必要がなく、簡易に設置できる利点がある。
【００４４】
また、水圧センサにより検出される圧力値に基づいて水位Ｈを認識する構成であり、フロートスイッチや電極等に対する異物の絡み付き等による誤動作に比較して、異物による誤動作のおそれも少ないという利点がある。
【００４５】
さらに、各水圧センサ２８，２９によって検出された各圧力値が互いに等しくない場合の水圧センサ２８，２９相互間の検出圧力差と、両水圧センサ２８，２９の高低差から想定される想定圧力差とが一致しない場合に、上位水圧センサ２８によって検出された圧力値を大気圧として認識すると共に、下位水圧センサ２９によって検出された圧力値を水圧として認識し、これら検出された大気圧と水圧との差から槽内水位Ｈを求める方式であり、下位水圧センサ２９により検出された水圧から大気圧の影響を除いて容易に槽内水位Ｈを求めることができる。
【００４６】
従って、上位水圧センサ２８の取付け位置と下位水圧センサ２９の取付け位置との間における槽内水位Ｈが精度良く認識できるため、各水圧センサ２８，２９の装着位置を何ら移動調整することなく、水位Ｈに応じた圧力値の電気的な設定変更により、両水圧センサ２８，２９の取付け位置相互間の範囲内において、起動水位ＳＬや停止水位ＬＬを任意の水位Ｈに変更でき、設定水位の調整が容易に行えるという利点がある。
【００４７】
そして、両水圧センサ２８，２９の取付け位置相互間の範囲内において、起動水位ＳＬや停止水位ＬＬの設定が行えることから、水中ポンプ２１が設置される可能性のある貯水槽等における起動水位ＳＬが最も高い高さ位置に上位水圧センサ２８を取付け、停止水位ＬＬが最も低い高さ位置に下位水圧センサ２９を取付けておけば、簡単な設定水位の調整のみによって各種の貯水槽等に採用でき、汎用性の向上が図れる利点がある。
【００４８】
また、本実施形態のように、特に上側に取付けられた上位水圧センサ２８による圧力値の検出高さ位置を起動水位ＳＬとして設定し、下側の取付けられた下位水圧センサ２９による圧力値の検出高さ位置を停止水位ＬＬとして設定しておけば、両水圧センサ２８，２９の高低差から想定される想定圧力差と、それら両水圧センサ２８，２９によって検出される各圧力値との検出圧力差とが一致した場合、槽内水位Ｈが起動水位ＳＬの位置に配置された上位水圧センサ２８の高さに上昇したと判断して水中ポンプ２１を起動させ、両水圧センサ２８，２９によって検出される各圧力値が互いに等しくなった場合、槽内水位Ｈが下位水圧センサ２９の高さ位置に下降して両水圧センサ２８，２９は大気圧を検出したと判断して水中ポンプ２１を停止させればよく、水中ポンプ２１の起動停止に際して大気圧の影響を考慮する必要がなく、起動停止制御が簡易に行える。
【００４９】
さらに、上記実施形態における大気圧検出・記憶部３２ａに検出された大気圧をメモリ等に記憶し、即ち、両水圧センサ２８，２９相互間の検出圧力差と両水圧センサ２８，２９における高低差から想定される想定圧力差とが一致しない場合の上位水圧センサ２８によって検出された圧力値や、両水圧センサ２８，２９によって検出された圧力値が互いに等しい場合のその圧力値を大気圧として記憶し、大気圧の変動が許容可能な時間の経過範囲内で、下位水圧センサ２９によって検出された圧力値を水圧として認識し、それら大気圧と水圧の差から槽内水位Ｈを求める構成としてもよい。
【００５０】
このように記憶された大気圧を基準とすることで、大気圧の変動が無視できるような許容可能な短時間経過範囲内においては、上位水圧センサ２８よりも高い任意の水位Ｈの検出が可能となる。従って、上位水圧センサ２８の取付け位置に束縛されずに、電気的な調整により起動水位ＳＬの設定ができ、使い勝手に優れる利点がある。なお、このような方式の水中ポンプ２１は、前記大気圧の変動が許容可能な短時間（例えば１時間程度）の経過範囲内で水位Ｈが停止水位ＬＬから起動水位ＳＬに達するような貯水槽に有効である。そして、記憶された大気圧は水中ポンプ２１の起動・停止の都度に更新する方式や異なる大気圧の検出により更新する方式とすればよい。
【００５１】
なお、上記実施形態において、水圧センサ２８，２９が上下に離隔して２箇所位置に配置した構造を示しているが、３箇所以上に配置した構造であってもよく、何ら限定されない。
【００５２】
また、水圧センサ２８，２９の取付け構造も取付ブラケット３０，３１に限らず、その他の取付け構造等であってもよい。
【図面の簡単な説明】
【００５３】
【図１】本発明の実施形態にかかる側断面説明図である。
【図２】同制御ブロック図である。
【図３】従来例を示す側断面説明図である。
【符号の説明】
【００５４】
２１  水中ポンプ
２８  上位水圧センサ
２９  下位水圧センサ
３２  ポンプコントローラ
【図１】
2008019731.tif 000003
【図２】
2008019731.tif 000004
【図３】
2008019731.tif 000005